(57)【特許請求の範囲】
【請求項１】
著作権によって保護されたコンテンツを記憶したコンテンツサーバが、前記コンテンツをバックアップすることが予め許可されたバックアップサーバを指定する指定情報とともに当該コンテンツを通信端末に送信するステップと、
前記通信端末が、前記コンテンツサーバから送信されてくる前記コンテンツと前記指定情報とを受信し、当該受信した前記コンテンツと前記指定情報とを対応付けて記憶するステップと、
前記通信端末が、前記記憶している前記指定情報によって指定されるバックアップサーバに対し、当該指定情報に対応付けられて記憶されている前記コンテンツを、自端末に割り当てられた前記端末識別情報とともに送信するバックアップ要求ステップと、
前記バックアップサーバが、前記通信端末から送信されてくる前記コンテンツと前記端末識別情報とを受信し、当該受信した前記コンテンツと前記端末識別情報とを対応付けて記憶するステップと
を備えるコンテンツ管理方法。
【請求項２】
前記通信端末が、前記バックアップサーバに記憶されている前記コンテンツを要求するためのリクエストを、自端末に割り当てられた前記端末識別情報とともに、前記バックアップサーバに送信するステップと、
前記バックアップサーバが、前記通信端末から送信されてくる前記リクエストを受信するステップと、
前記バックアップサーバが、前記受信した前記リクエストに含まれている前記端末識別情報に対応付けられて記憶されている前記コンテンツを前記通信端末に送信するステップと、
前記通信端末が、前記バックアップサーバから送信されてくる前記コンテンツを受信するステップと
をさらに備える請求項１に記載のコンテンツ管理方法。
【請求項３】
著作権によって保護されたコンテンツを記憶したコンテンツサーバが、前記コンテンツをバックアップすることが予め許可されたバックアップサーバを指定する指定情報とともに当該コンテンツを通信端末に送信するステップと、
前記通信端末が、前記コンテンツサーバから送信されてくる前記コンテンツと前記指定情報とを受信し、受信した前記コンテンツと前記指定情報とを対応付けて記憶するステップと、
前記通信端末が、前記コンテンツのバックアップ処理を管理する管理サーバに対し、前記記憶している前記指定情報と、当該指定情報に対応付けられて記憶されている前記コンテンツとを、自端末に割り当てられた前記端末識別情報とともに送信するバックアップ要求ステップと、
前記管理サーバが、前記通信端末から送信されてくる前記指定情報と前記コンテンツと前記端末識別情報とを受信し、当該受信した前記指定情報と前記コンテンツと前記端末情報とを対応付けて記憶するステップと、
前記管理サーバが、前記記憶した前記端末識別情報と前記コンテンツとを、これらに対応する前記指定情報によって指定される前記バックアップサーバに送信するステップと、
前記バックアップサーバが、前記管理サーバから送信されてくる前記端末識別情報と前記コンテンツとを受信し、当該受信した前記コンテンツと前記端末識別情報とを対応付けて記憶するステップと
を備えるコンテンツ管理方法。
【請求項４】
前記通信端末が、前記バックアップサーバに記憶されている前記コンテンツを要求するためのリクエストを、自端末に割り当てられた端末識別情報とともに、前記管理サーバに送信するステップと、
前記管理サーバが、前記通信端末から送信されてくる前記リクエストを受信し、受信した前記リクエストに含まれている前記端末識別情報を前記バックアップサーバに転送するステップと、
前記バックアップサーバが、前記管理サーバから転送されてくる前記端末識別情報を受信し、当該受信した前記端末識別情報に対応付けられて記憶されている前記コンテンツを前記管理サーバに送信するステップと、
前記管理サーバが、前記バックアップサーバから送信されてくる前記コンテンツを受信し、当該受信した前記コンテンツを前記通信端末に転送するステップと、
前記通信端末が、前記管理サーバから転送されてくる前記コンテンツを受信するステップと
をさらに備える請求項３に記載のコンテンツ管理方法。
【請求項５】
著作権によって保護されたコンテンツを記憶したコンテンツサーバが、当該コンテンツと、当該コンテンツに割り当てられた識別情報と、自サーバを指定する指定情報とを通信端末に送信するステップと、
前記通信端末が、前記コンテンツサーバから送信されてくる前記コンテンツと前記コンテンツ識別情報と前記指定情報とを受信し、受信した前記コンテンツと前記コンテンツ識別情報と前記指定情報とを対応付けて記憶するステップと、
前記通信端末が、前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信するバックアップ要求ステップと、
前記コンテンツサーバが、前記通信端末から送信されてくる前記コンテンツ識別情報と前記端末識別情報とを受信し、当該受信した前記コンテンツ識別情報と前記端末識別情報とを対応付けて記憶するステップと
を備えるコンテンツ管理方法。
【請求項６】
前記通信端末が、前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するステップと、
前記コンテンツサーバが、前記通信端末から送信されてくる前記リクエストを受信し、当該受信した前記リクエストから前記コンテンツ識別情報及び前記端末識別情報を抽出するステップと、
前記コンテンツサーバが、前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するステップと、
前記通信端末が、前記コンテンツサーバから送信されてくる前記コンテンツを受信するステップと
をさらに備える請求項５に記載のコンテンツ管理方法。
【請求項７】
請求項１乃至６の何れか１に記載のコンテンツ管理方法において、
前記通信端末において、前記記憶している前記コンテンツのバックアップ先を指定するための指定情報がユーザによって入力された場合に、当該入力を受け付けるステップと、
前記通信端末が、前記入力された指定情報が、バックアップの対象となる前記コンテンツに対応付けて記憶されている前記指定情報と一致するか否かを判断するステップとをさらに備え、
前記判断の結果において前記指定情報が一致した場合に、前記バックアップ要求ステップが行われるコンテンツ管理方法。
【請求項８】
著作権によって保護されたコンテンツを記憶したコンテンツサーバと、
前記コンテンツを受信する通信端末と、
前記コンテンツをバックアップすることが予め許可されたバックアップサーバとを備え、
前記コンテンツサーバは、
前記バックアップサーバを指定する指定情報とともに当該コンテンツを通信端末に送信するコンテンツ送信手段を備え、
前記通信端末は、
前記コンテンツと前記指定情報とを受信するコンテンツ受信手段と、
前記受信した前記コンテンツと前記指定情報とを対応付けて記憶するコンテンツ記憶手段と、
前記記憶している前記指定情報によって指定されるバックアップサーバに対し、当該指定情報に対応付けられて記憶されている前記コンテンツを、自端末に割り当てられた前記端末識別情報とともに送信するバックアップ送信手段とを備え、
前記バックアップサーバは、
前記通信端末から送信されてくる前記コンテンツと前記端末識別情報とを受信するバックアップ受信手段と、
前記受信した前記コンテンツと前記端末識別情報とを対応付けて記憶するバックアップ記憶手段と
を備えるコンテンツ管理システム。
【請求項９】
前記通信端末は、
前記バックアップサーバに記憶されている前記コンテンツを要求するためのリクエストを、自端末に割り当てられた前記端末識別情報とともに、前記バックアップサーバに送信するリクエスト送信手段と、
前記バックアップサーバから送信されてくる前記コンテンツを受信するバックアップ受信手段とをさらに備え、
前記バックアップサーバは、
前記通信端末から送信されてくる前記リクエストを受信するリクエスト受信手段と、
前記受信した前記リクエストに含まれている前記端末識別情報に対応付けられて記憶されている前記コンテンツを前記通信端末に送信するバックアップ送信手段と
をさらに備える請求項８に記載のコンテンツ管理システム。
【請求項１０】
著作権によって保護されたコンテンツを記憶したコンテンツサーバと、
前記コンテンツを受信する通信端末と、
前記コンテンツをバックアップすることが予め許可されたバックアップサーバと、
前記コンテンツのバックアップ処理を管理する管理サーバとを備え、
前記コンテンツサーバは、
前記コンテンツをバックアップすることが予め許可されたバックアップサーバを指定する指定情報とともに当該コンテンツを通信端末に送信するコンテンツ送信手段を備え、
前記通信端末は、
前記コンテンツサーバから送信されてくる前記コンテンツと前記指定情報とを受信するコンテンツ受信手段と、
前記受信した前記コンテンツと前記指定情報とを対応付けて記憶するコンテンツ記憶手段と、
前記管理サーバに対し、前記記憶している前記指定情報と、当該指定情報に対応付けられて記憶されている前記コンテンツとを、自端末に割り当てられた前記端末識別情報とともに送信するバックアップ送信手段とを備え、
前記バックアップサーバは、
前記管理サーバから送信されてくる前記端末識別情報と前記コンテンツとを受信するバックアップ受信手段と、
前記受信した前記コンテンツと前記端末識別情報とを対応付けて記憶するバックアップ記憶手段を備え、
前記管理サーバは、
前記通信端末から送信されてくる前記指定情報と前記コンテンツと前記端末識別情報とを受信する転送先情報受信手段と、
前記受信した前記指定情報と前記コンテンツと前記端末情報とを対応付けて記憶する転送先情報記憶手段と、
前記記憶した前記端末識別情報と前記コンテンツとを、これらに対応する前記指定情報によって指定される前記バックアップサーバに送信するアップロード転送手段と
を備えるコンテンツ管理システム。
【請求項１１】
前記通信端末は、
前記バックアップサーバに記憶されている前記コンテンツを要求するためのリクエストを、自端末に割り当てられた端末識別情報とともに、前記管理サーバに送信するリクエスト送信手段と、
前記管理サーバから転送されてくる前記コンテンツを受信するバックアップ受信手段とをさらに備え、
前記管理サーバは、
前記通信端末から送信されてくる前記リクエストを受信し、当該受信した前記リクエストに含まれている前記端末識別情報を前記バックアップサーバに転送するリクエスト転送手段と、
前記バックアップサーバから送信されてくる前記コンテンツを受信し、当該受信した前記コンテンツを前記通信端末に転送するダウンロード転送手段とをさらに備え、
前記バックアップサーバは、
前記管理サーバから転送されてくる前記端末識別情報を受信するリクエスト受信手段と、
前記受信した前記端末識別情報に対応付けられて記憶されている前記コンテンツを前記管理サーバに送信するバックアップ送信手段と
をさらに備える請求項１０に記載のコンテンツ管理システム。
【請求項１２】
著作権によって保護されたコンテンツを記憶したコンテンツサーバと、
前記コンテンツを受信する通信端末とを備え、
前記コンテンツサーバは、
前記コンテンツと、当該コンテンツに割り当てられた識別情報と、自サーバを指定する指定情報とを通信端末に送信するコンテンツ送信手段を備え、
前記通信端末は、
前記コンテンツサーバから送信されてくる前記コンテンツと前記コンテンツ識別情報と前記指定情報とを受信するコンテンツ受信手段と、
前記受信した前記コンテンツと前記コンテンツ識別情報と前記指定情報とを対応付けて記憶するコンテンツ記憶手段と、
前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信する再送情報送信手段とをさらに備え、
前記コンテンツサーバは、
前記通信端末から送信されてくる前記コンテンツ識別情報と前記端末識別情報とを受信する再送情報受信手段と、
前記受信した前記コンテンツ識別情報と前記端末識別情報とを対応付けて記憶する再送情報記憶手段とをさらに備える
ことを特徴とするコンテンツ管理システム。
【請求項１３】
前記通信端末は、
前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するリクエスト送信手段と、
前記コンテンツサーバから送信されてくる前記コンテンツを受信するコンテンツ再受信手段とをさらに備え、
前記コンテンツサーバは、
前記通信端末から送信されてくる前記リクエストを受信するリクエスト受信手段と、
前記受信した前記リクエストから前記コンテンツ識別情報及び前記端末識別情報を抽出するリクエスト判別手段と、
前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するコンテンツ再送信手段と
をさらに備える請求項１２に記載のコンテンツ管理システム。
【請求項１４】
前記通信端末は、
前記記憶している前記コンテンツのバックアップ先を指定するための指定情報がユーザによって入力された場合に、当該入力を受け付ける直接入力手段と、
前記入力された指定情報が、バックアップの対象となる前記コンテンツに対応付けて記憶されている前記指定情報と一致するか否かを判断する入力情報判別手段と、
前記判断の結果において前記指定情報が一致した場合に、前記バックアップサーバに前記バックアップを要求する入力情報送信手段とをさらに備える
ことを特徴とする請求項８乃至１３の何れか１に記載のコンテンツ管理システム。
【請求項１５】
通信端末から、著作権によって保護されたコンテンツと当該通信端末に割り当てられた端末識別情報とを受信するバックアップ受信手段と、
前記受信した前記コンテンツと前記端末識別情報とを対応付けて記憶するバックアップ記憶手段と、
前記通信端末から、前記端末識別情報を含み前記コンテンツを要求するリクエストを受信するリクエスト受信手段と、
前記受信した前記リクエストに含まれている前記端末識別情報に対応付けられて記憶されている前記コンテンツを前記通信端末に送信するバックアップ送信手段と
を備えるバックアップサーバ。
【請求項１６】
通信端末から、著作権によって保護されたコンテンツと、当該コンテンツをバックアップすることが予め許可されたバックアップサーバを指定する指定情報と、前記通信端末に割り当てられた端末識別情報とを受信する転送情報受信手段と、
前記受信した前記指定情報と前記コンテンツと前記端末情報とを対応付けて記憶する転送情報記憶手段と、
前記記憶した前記端末識別情報と前記コンテンツとを、これらに対応する前記指定情報によって指定される前記バックアップサーバに送信するアップロード転送手段と、
前記通信端末から、前記端末識別情報を含み前記バックアップサーバに記憶されている前記コンテンツを要求するためのリクエストを受信し、当該受信した前記リクエストに含まれている前記端末識別情報を前記バックアップサーバに転送するリクエスト転送手段と、
前記バックアップサーバから送信されてくる前記コンテンツを受信し、当該受信した前記コンテンツを前記通信端末に転送するダウンロード転送手段と
を備える管理サーバ。
【請求項１７】
著作権によって保護されたコンテンツを記憶するコンテンツ記憶手段と、
前記コンテンツと、当該コンテンツに割り当てられた識別情報と、自サーバを指定する指定情報とを通信端末に送信するコンテンツ送信手段と、
前記通信端末から送信されてくる前記コンテンツ識別情報と前記端末識別情報とを受信する再送情報受信手段と、
前記受信した前記コンテンツ識別情報と前記端末識別情報とを対応付けて記憶する再送情報記憶手段と、
前記通信端末から、前記コンテンツサーバに記憶されている前記コンテンツを要求するためのリクエストを受信するリクエスト受信手段と、
前記受信した前記リクエストから前記コンテンツ識別情報及び前記端末識別情報を抽出するリクエスト判別手段と、
前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するコンテンツ再送信手段と
を備えるコンテンツサーバ。
【請求項１８】
著作権によって保護されたコンテンツと、当該コンテンツをバックアップすることが予め許可されたバックアップサーバを指定する指定情報とを受信するコンテンツ受信手段と、
前記受信した前記コンテンツと前記指定情報とを対応付けて記憶するコンテンツ記憶手段と、
前記記憶している前記指定情報によって指定されるバックアップサーバに対し、当該指定情報に対応付けられて記憶されている前記コンテンツを、自端末に割り当てられた前記端末識別情報とともに送信するバックアップ送信手段と、
前記バックアップサーバに記憶されている前記コンテンツを要求するためのリクエストを、自端末に割り当てられた前記端末識別情報とともに、前記バックアップサーバに送信するリクエスト送信手段と、
前記バックアップサーバから送信されてくる前記コンテンツを受信するバックアップ受信手段と
を備える通信端末。
【請求項１９】
コンテンツサーバから、著作権によって保護されたコンテンツと当該コンテンツをバックアップすることが予め許可されたバックアップサーバを指定する指定情報とを受信するコンテンツ受信手段と、
前記受信した前記コンテンツと前記指定情報とを対応付けて記憶するコンテンツ記憶手段と、
前記コンテンツのバックアップ処理を管理する管理サーバに対し、前記記憶している前記指定情報と、当該指定情報に対応付けられて記憶されている前記コンテンツとを、自端末に割り当てられた前記端末識別情報とともに送信するバックアップ送信手段と、
前記バックアップサーバに記憶されている前記コンテンツを要求するためのリクエストを、自端末に割り当てられた端末識別情報とともに、前記管理サーバに送信するリクエスト送信手段と、
前記管理サーバから転送されてくる前記コンテンツを受信するバックアップ受信手段と
を備える通信端末。
【請求項２０】
著作権によって保護されたコンテンツを記憶したコンテンツサーバから、前記コンテンツと、当該コンテンツに割り当てられた識別情報と、当該コンテンツをバックアップすることが予め許可されたバックアップサーバとして前記コンテンツサーバを指定する指定情報とを受信するコンテンツ受信手段と、
前記受信した前記コンテンツと前記コンテンツ識別情報と前記指定情報とを対応付けて記憶するコンテンツ記憶手段と、
前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信する再送情報送信手段と、
前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するリクエスト送信手段と、
前記コンテンツサーバから送信されてくる前記コンテンツを受信するコンテンツ再受信手段と
を備える通信端末。
【請求項２１】
コンピュータに、
通信端末から、著作権によって保護されたコンテンツと当該通信端末に割り当てられた端末識別情報とを受信する機能と、
前記受信した前記コンテンツと前記端末識別情報とを対応付けて記憶する機能と、
前記通信端末から、前記端末識別情報を含み前記コンテンツを要求するリクエストを受信する機能と、
前記受信した前記リクエストに含まれている前記端末識別情報に対応付けられて記憶されている前記コンテンツを前記通信端末に送信する機能と
を実現させるプログラム。
【請求項２２】
コンピュータに、
通信端末から、著作権によって保護されたコンテンツと、当該コンテンツをバックアップすることが予め許可されたバックアップサーバを指定する指定情報と、前記通信端末に割り当てられた端末識別情報とを受信する機能と、
前記受信した前記指定情報と前記コンテンツと前記端末情報とを対応付けて記憶する機能と、
前記記憶した前記端末識別情報と前記コンテンツとを、これらに対応する前記指定情報によって指定される前記バックアップサーバに送信する機能と、
前記通信端末から、前記端末識別情報を含み前記バックアップサーバに記憶されている前記コンテンツを要求するためのリクエストを受信し、当該受信した前記リクエストに含まれている前記端末識別情報を前記バックアップサーバに転送する機能と、
前記バックアップサーバから送信されてくる前記コンテンツを受信し、当該受信した前記コンテンツを前記通信端末に転送する機能と
を実現させるプログラム。
【請求項２３】
コンピュータに、
著作権によって保護されたコンテンツを記憶する機能と、
前記コンテンツと、当該コンテンツに割り当てられた識別情報と、自サーバを指定する指定情報とを通信端末に送信する機能と、
前記通信端末から送信されてくる前記コンテンツ識別情報と前記端末識別情報とを受信する機能と、
前記受信した前記コンテンツ識別情報と前記端末識別情報とを対応付けて記憶する機能と、
前記通信端末から、前記コンテンツサーバに記憶されている前記コンテンツを要求するためのリクエストを受信する機能と、
前記受信した前記リクエストから前記コンテンツ識別情報及び前記端末識別情報を抽出する機能と、
前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信する機能と
を実現させるプログラム。
【請求項２４】
請求項２１乃至２３に記載されるプログラムを記録した、コンピュータ読み取り可能な記録媒体。
【発明の詳細な説明】
【０００１】
【発明の属する技術分野】
本発明は、不正なデータ複製を禁ずるとともに、正当な利用者のデータ操作性を高めることが可能な、コンテンツ管理方法、コンテンツ管理システム、バックアップサーバ、管理サーバ、コンテンツサーバ、通信端末、プログラムおよび記録媒体に関わる。
【０００２】
【従来の技術】
従来より、移動通信網を介してデータ通信可能な移動局において利用可能な各種のコンテンツが流通している。この類のコンテンツとしては、待機状態の移動局に表示される画像データ（所謂待ち受け画面）、移動局の着呼時に再生される楽音データ（所謂着信メロディ）および移動局で実行可能なゲームプログラム等、各種がある。
【０００３】
上記のごときコンテンツにあっては、商品価値を備えているものも多い。したがって、有償で提供されるものの他、著作権等の法的保護下に置かれるものもある。
一方、デジタルデータはその性質として際限のない複製が可能であるため、不正な複製に対する策を要する。その一つとして、複製一般を禁ずるものが知られている。
【０００４】
【発明が解決しようとする課題】
しかしながら、コンテンツの複製一般を禁じた場合には、問題が生ずる。
例えば、利用者が移動局を買い換え、データの移行を行わなければならない場合、複製が禁じられたコンテンツは移行することができなくなる。また、利用者は、不慮の事故等によるデータ消失等に備え、バックアップをとることもできなくなる。
つまり、上記の方法では、コンテンツの不正な複製を防止するあまり、利用者の正当なデータ操作に支障をきたすことになる。
【０００５】
本発明は、このような背景の下になされたものであり、コンテンツの不正な複製を防止するとともに、正当な利用者が可能な範囲内でコンテンツを複製することを可能とする仕組みを提供する。
【０００６】
【課題を解決するための手段】
上記の課題に鑑み、本発明は、著作権によって保護されたコンテンツを記憶したコンテンツサーバが、前記コンテンツをバックアップすることが予め許可されたバックアップサーバを指定する指定情報とともに当該コンテンツを通信端末に送信するステップと、前記通信端末が、前記コンテンツサーバから送信されてくる前記コンテンツと前記指定情報とを受信し、当該受信した前記コンテンツと前記指定情報とを対応付けて記憶するステップと、前記通信端末が、前記記憶している前記指定情報によって指定されるバックアップサーバに対し、当該指定情報に対応付けられて記憶されている前記コンテンツを、自端末に割り当てられた前記端末識別情報とともに送信するバックアップ要求ステップと、前記バックアップサーバが、前記通信端末から送信されてくる前記コンテンツと前記端末識別情報とを受信し、当該受信した前記コンテンツと前記端末識別情報とを対応付けて記憶するステップとを備えるコンテンツ管理方法を提供する。
【０００７】
好ましい態様において、上記のコンテンツ管理方法は、前記通信端末が、前記バックアップサーバに記憶されている前記コンテンツを要求するためのリクエストを、自端末に割り当てられた前記端末識別情報とともに、前記バックアップサーバに送信するステップと、前記バックアップサーバが、前記通信端末から送信されてくる前記リクエストを受信するステップと、前記バックアップサーバが、前記受信した前記リクエストに含まれている前記端末識別情報に対応付けられて記憶されている前記コンテンツを前記通信端末に送信するステップと、前記通信端末が、前記バックアップサーバから送信されてくる前記コンテンツを受信するステップとをさらに備える。
【０００８】
また、本発明は、著作権によって保護されたコンテンツを記憶したコンテンツサーバが、前記コンテンツをバックアップすることが予め許可されたバックアップサーバを指定する指定情報とともに当該コンテンツを通信端末に送信するステップと、前記通信端末が、前記コンテンツサーバから送信されてくる前記コンテンツと前記指定情報とを受信し、受信した前記コンテンツと前記指定情報とを対応付けて記憶するステップと、前記通信端末が、前記コンテンツのバックアップ処理を管理する管理サーバに対し、前記記憶している前記指定情報と、当該指定情報に対応付けられて記憶されている前記コンテンツとを、自端末に割り当てられた前記端末識別情報とともに送信するバックアップ要求ステップと、前記管理サーバが、前記通信端末から送信されてくる前記指定情報と前記コンテンツと前記端末識別情報とを受信し、当該受信した前記指定情報と前記コンテンツと前記端末情報とを対応付けて記憶するステップと、前記管理サーバが、前記記憶した前記端末識別情報と前記コンテンツとを、これらに対応する前記指定情報によって指定される前記バックアップサーバに送信するステップと、前記バックアップサーバが、前記管理サーバから送信されてくる前記端末識別情報と前記コンテンツとを受信し、当該受信した前記コンテンツと前記端末識別情報とを対応付けて記憶するステップとを備えるコンテンツ管理方法を提供する。
【０００９】
好ましい態様において、上記のコンテンツ管理方法は、前記通信端末が、前記バックアップサーバに記憶されている前記コンテンツを要求するためのリクエストを、自端末に割り当てられた端末識別情報とともに、前記管理サーバに送信するステップと、前記管理サーバが、前記通信端末から送信されてくる前記リクエストを受信し、受信した前記リクエストに含まれている前記端末識別情報を前記バックアップサーバに転送するステップと、前記バックアップサーバが、前記管理サーバから転送されてくる前記端末識別情報を受信し、当該受信した前記端末識別情報に対応付けられて記憶されている前記コンテンツを前記管理サーバに送信するステップと、前記管理サーバが、前記バックアップサーバから送信されてくる前記コンテンツを受信し、当該受信した前記コンテンツを前記通信端末に転送するステップと、前記通信端末が、前記管理サーバから転送されてくる前記コンテンツを受信するステップとをさらに備える。
【００１０】
そして、本発明は、著作権によって保護されたコンテンツを記憶したコンテンツサーバが、当該コンテンツと、当該コンテンツに割り当てられた識別情報と、自サーバを指定する指定情報とを通信端末に送信するステップと、前記通信端末が、前記コンテンツサーバから送信されてくる前記コンテンツと前記コンテンツ識別情報と前記指定情報とを受信し、受信した前記コンテンツと前記コンテンツ識別情報と前記指定情報とを対応付けて記憶するステップと、前記通信端末が、前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信するバックアップ要求ステップと、前記コンテンツサーバが、前記通信端末から送信されてくる前記コンテンツ識別情報と前記端末識別情報とを受信し、当該受信した前記コンテンツ識別情報と前記端末識別情報とを対応付けて記憶するステップとを備えるコンテンツ管理方法を提供する。
【００１１】
好ましい態様において、上記のコンテンツ管理方法は、前記通信端末が、前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するステップと、前記コンテンツサーバが、前記通信端末から送信されてくる前記リクエストを受信し、当該受信した前記リクエストから前記コンテンツ識別情報及び前記端末識別情報を抽出するステップと、前記コンテンツサーバが、前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するステップと、前記通信端末が、前記コンテンツサーバから送信されてくる前記コンテンツを受信するステップとをさらに備える。
【００１２】
また、別の好ましい態様において、上記の各コンテンツ管理方法では、前記通信端末において、前記記憶している前記コンテンツのバックアップ先を指定するための指定情報がユーザによって入力された場合に、当該入力を受け付けるステップと、前記通信端末が、前記入力された指定情報が、バックアップの対象となる前記コンテンツに対応付けて記憶されている前記指定情報と一致するか否かを判断するステップとをさらに備え、前記判断の結果において前記指定情報が一致した場合に、前記バックアップ要求ステップが行われる。
【００１３】
そして、本発明は、著作権によって保護されたコンテンツを記憶したコンテンツサーバと、前記コンテンツを受信する通信端末と、前記コンテンツをバックアップすることが予め許可されたバックアップサーバとを備え、前記コンテンツサーバは、前記バックアップサーバを指定する指定情報とともに当該コンテンツを通信端末に送信するコンテンツ送信手段を備え、前記通信端末は、前記コンテンツと前記指定情報とを受信するコンテンツ受信手段と、前記受信した前記コンテンツと前記指定情報とを対応付けて記憶するコンテンツ記憶手段と、前記記憶している前記指定情報によって指定されるバックアップサーバに対し、当該指定情報に対応付けられて記憶されている前記コンテンツを、自端末に割り当てられた前記端末識別情報とともに送信するバックアップ送信手段とを備え、前記バックアップサーバは、前記通信端末から送信されてくる前記コンテンツと前記端末識別情報とを受信するバックアップ受信手段と、前記受信した前記コンテンツと前記端末識別情報とを対応付けて記憶するバックアップ記憶手段とを備えるコンテンツ管理システムを提供する。
【００１４】
好ましい態様において、上記のコンテンツ管理システムでは、前記通信端末は、前記バックアップサーバに記憶されている前記コンテンツを要求するためのリクエストを、自端末に割り当てられた前記端末識別情報とともに、前記バックアップサーバに送信するリクエスト送信手段と、前記バックアップサーバから送信されてくる前記コンテンツを受信するバックアップ受信手段とをさらに備え、前記バックアップサーバは、前記通信端末から送信されてくる前記リクエストを受信するリクエスト受信手段と、前記受信した前記リクエストに含まれている前記端末識別情報に対応付けられて記憶されている前記コンテンツを前記通信端末に送信するバックアップ送信手段とをさらに備える。
【００１５】
さらに、本発明は、著作権によって保護されたコンテンツを記憶したコンテンツサーバと、前記コンテンツを受信する通信端末と、前記コンテンツをバックアップすることが予め許可されたバックアップサーバと、前記コンテンツのバックアップ処理を管理する管理サーバとを備え、前記コンテンツサーバは、前記コンテンツをバックアップすることが予め許可されたバックアップサーバを指定する指定情報とともに当該コンテンツを通信端末に送信するコンテンツ送信手段を備え、前記通信端末は、前記コンテンツサーバから送信されてくる前記コンテンツと前記指定情報とを受信するコンテンツ受信手段と、前記受信した前記コンテンツと前記指定情報とを対応付けて記憶するコンテンツ記憶手段と、前記管理サーバに対し、前記記憶している前記指定情報と、当該指定情報に対応付けられて記憶されている前記コンテンツとを、自端末に割り当てられた前記端末識別情報とともに送信するバックアップ送信手段とを備え、前記バックアップサーバは、前記管理サーバから送信されてくる前記端末識別情報と前記コンテンツとを受信するバックアップ受信手段と、前記受信した前記コンテンツと前記端末識別情報とを対応付けて記憶するバックアップ記憶手段を備え、前記管理サーバは、前記通信端末から送信されてくる前記指定情報と前記コンテンツと前記端末識別情報とを受信する転送先情報受信手段と、前記受信した前記指定情報と前記コンテンツと前記端末情報とを対応付けて記憶する転送先情報記憶手段と、前記記憶した前記端末識別情報と前記コンテンツとを、これらに対応する前記指定情報によって指定される前記バックアップサーバに送信するアップロード転送手段とを備えるコンテンツ管理システムを提供する。
【００１６】
好ましい態様において、上記のコンテンツ管理システムでは、前記通信端末は、前記バックアップサーバに記憶されている前記コンテンツを要求するためのリクエストを、自端末に割り当てられた端末識別情報とともに、前記管理サーバに送信するリクエスト送信手段と、前記管理サーバから転送されてくる前記コンテンツを受信するバックアップ受信手段とをさらに備え、前記管理サーバは、前記通信端末から送信されてくる前記リクエストを受信し、当該受信した前記リクエストに含まれている前記端末識別情報を前記バックアップサーバに転送するリクエスト転送手段と、前記バックアップサーバから送信されてくる前記コンテンツを受信し、当該受信した前記コンテンツを前記通信端末に転送するダウンロード転送手段とをさらに備え、前記バックアップサーバは、前記管理サーバから転送されてくる前記端末識別情報を受信するリクエスト受信手段と、前記受信した前記端末識別情報に対応付けられて記憶されている前記コンテンツを前記管理サーバに送信するバックアップ送信手段とをさらに備える。
【００１７】
くわえて、本発明は、著作権によって保護されたコンテンツを記憶したコンテンツサーバと、前記コンテンツを受信する通信端末とを備え、前記コンテンツサーバは、前記コンテンツと、当該コンテンツに割り当てられた識別情報と、自サーバを指定する指定情報とを通信端末に送信するコンテンツ送信手段を備え、前記通信端末は、前記コンテンツサーバから送信されてくる前記コンテンツと前記コンテンツ識別情報と前記指定情報とを受信するコンテンツ受信手段と、前記受信した前記コンテンツと前記コンテンツ識別情報と前記指定情報とを対応付けて記憶するコンテンツ記憶手段と、前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信する再送情報送信手段とをさらに備え、前記コンテンツサーバは、前記通信端末から送信されてくる前記コンテンツ識別情報と前記端末識別情報とを受信する再送情報受信手段と、前記受信した前記コンテンツ識別情報と前記端末識別情報とを対応付けて記憶する再送情報記憶手段とをさらに備えることを特徴とするコンテンツ管理システムを提供する。
【００１８】
好ましい態様において、前記通信端末は、前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するリクエスト送信手段と、前記コンテンツサーバから送信されてくる前記コンテンツを受信するコンテンツ再受信手段とをさらに備え、前記コンテンツサーバは、前記通信端末から送信されてくる前記リクエストを受信するリクエスト受信手段と、前記受信した前記リクエストから前記コンテンツ識別情報及び前記端末識別情報を抽出するリクエスト判別手段と、前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するコンテンツ再送信手段とをさらに備える。
【００１９】
また、別の好ましい態様において、上記の各コンテンツ管理システムでは、前記通信端末は、前記記憶している前記コンテンツのバックアップ先を指定するための指定情報がユーザによって入力された場合に、当該入力を受け付ける直接入力手段と、前記入力された指定情報が、バックアップの対象となる前記コンテンツに対応付けて記憶されている前記指定情報と一致するか否かを判断する入力情報判別手段と、前記判断の結果において前記指定情報が一致した場合に、前記バックアップサーバに前記バックアップを要求する入力情報送信手段とをさらに備える。
【００２０】
そして、本発明は、通信端末から、著作権によって保護されたコンテンツと当該通信端末に割り当てられた端末識別情報とを受信するバックアップ受信手段と、前記受信した前記コンテンツと前記端末識別情報とを対応付けて記憶するバックアップ記憶手段と、前記通信端末から、前記端末識別情報を含み前記コンテンツを要求するリクエストを受信するリクエスト受信手段と、前記受信した前記リクエストに含まれている前記端末識別情報に対応付けられて記憶されている前記コンテンツを前記通信端末に送信するバックアップ送信手段とを備えるバックアップサーバを提供する。
【００２１】
さらに、本発明は、通信端末から、著作権によって保護されたコンテンツと、当該コンテンツをバックアップすることが予め許可されたバックアップサーバを指定する指定情報と、前記通信端末に割り当てられた端末識別情報とを受信する転送情報受信手段と、前記受信した前記指定情報と前記コンテンツと前記端末情報とを対応付けて記憶する転送情報記憶手段と、前記記憶した前記端末識別情報と前記コンテンツとを、これらに対応する前記指定情報によって指定される前記バックアップサーバに送信するアップロード転送手段と、前記通信端末から、前記端末識別情報を含み前記バックアップサーバに記憶されている前記コンテンツを要求するためのリクエストを受信し、当該受信した前記リクエストに含まれている前記端末識別情報を前記バックアップサーバに転送するリクエスト転送手段と、前記バックアップサーバから送信されてくる前記コンテンツを受信し、当該受信した前記コンテンツを前記通信端末に転送するダウンロード転送手段とを備える管理サーバを提供する。
【００２２】
くわえて、本発明は、著作権によって保護されたコンテンツを記憶するコンテンツ記憶手段と、前記コンテンツと、当該コンテンツに割り当てられた識別情報と、自サーバを指定する指定情報とを通信端末に送信するコンテンツ送信手段と、前記通信端末から送信されてくる前記コンテンツ識別情報と前記端末識別情報とを受信する再送情報受信手段と、前記受信した前記コンテンツ識別情報と前記端末識別情報とを対応付けて記憶する再送情報記憶手段と、前記通信端末から、前記コンテンツサーバに記憶されている前記コンテンツを要求するためのリクエストを受信するリクエスト受信手段と、前記受信した前記リクエストから前記コンテンツ識別情報及び前記端末識別情報を抽出するリクエスト判別手段と、前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信するコンテンツ再送信手段とを備えるコンテンツサーバを提供する。
【００２３】
また、本発明は、著作権によって保護されたコンテンツと、当該コンテンツをバックアップすることが予め許可されたバックアップサーバを指定する指定情報とを受信するコンテンツ受信手段と、前記受信した前記コンテンツと前記指定情報とを対応付けて記憶するコンテンツ記憶手段と、前記記憶している前記指定情報によって指定されるバックアップサーバに対し、当該指定情報に対応付けられて記憶されている前記コンテンツを、自端末に割り当てられた前記端末識別情報とともに送信するバックアップ送信手段と、前記バックアップサーバに記憶されている前記コンテンツを要求するためのリクエストを、自端末に割り当てられた前記端末識別情報とともに、前記バックアップサーバに送信するリクエスト送信手段と、前記バックアップサーバから送信されてくる前記コンテンツを受信するバックアップ受信手段とを備える通信端末を提供する。
【００２４】
そして、本発明は、コンテンツサーバから、著作権によって保護されたコンテンツと当該コンテンツをバックアップすることが予め許可されたバックアップサーバを指定する指定情報とを受信するコンテンツ受信手段と、前記受信した前記コンテンツと前記指定情報とを対応付けて記憶するコンテンツ記憶手段と、前記コンテンツのバックアップ処理を管理する管理サーバに対し、前記記憶している前記指定情報と、当該指定情報に対応付けられて記憶されている前記コンテンツとを、自端末に割り当てられた前記端末識別情報とともに送信するバックアップ送信手段と、前記バックアップサーバに記憶されている前記コンテンツを要求するためのリクエストを、自端末に割り当てられた端末識別情報とともに、前記管理サーバに送信するリクエスト送信手段と、前記管理サーバから転送されてくる前記コンテンツを受信するバックアップ受信手段とを備える通信端末を提供する。
【００２５】
さらに、本発明は、著作権によって保護されたコンテンツを記憶したコンテンツサーバから、前記コンテンツと、当該コンテンツに割り当てられた識別情報と、当該コンテンツをバックアップすることが予め許可されたバックアップサーバとして前記コンテンツサーバを指定する指定情報とを受信するコンテンツ受信手段と、前記受信した前記コンテンツと前記コンテンツ識別情報と前記指定情報とを対応付けて記憶するコンテンツ記憶手段と、前記コンテンツに対応付けられて記憶されている指定情報によって指定される前記コンテンツサーバに対し、当該コンテンツに対応付けられて記憶されている前記コンテンツ識別情報と自端末に割り当てられた前記端末識別情報とを、当該コンテンツ識別情報に対応する前記コンテンツのバックアップ要求として送信する再送情報送信手段と、前記コンテンツサーバに記憶されている前記コンテンツを要求するためのリクエストを、当該コンテンツの前記コンテンツ識別情報と自端末に割り当てられた前記端末識別情報とともに前記コンテンツサーバに送信するリクエスト送信手段と、前記コンテンツサーバから送信されてくる前記コンテンツを受信するコンテンツ再受信手段とを備える通信端末を提供する。
【００２６】
そして、本発明は、コンピュータに、通信端末から、著作権によって保護されたコンテンツと当該通信端末に割り当てられた端末識別情報とを受信する機能と、前記受信した前記コンテンツと前記端末識別情報とを対応付けて記憶する機能と、前記通信端末から、前記端末識別情報を含み前記コンテンツを要求するリクエストを受信する機能と、前記受信した前記リクエストに含まれている前記端末識別情報に対応付けられて記憶されている前記コンテンツを前記通信端末に送信する機能とを実現させるプログラムおよびそのプログラムを記録したコンピュータ読み取り可能な記録媒体を提供する。
【００２７】
また、本発明は、コンピュータに、通信端末から、著作権によって保護されたコンテンツと、当該コンテンツをバックアップすることが予め許可されたバックアップサーバを指定する指定情報と、前記通信端末に割り当てられた端末識別情報とを受信する機能と、前記受信した前記指定情報と前記コンテンツと前記端末情報とを対応付けて記憶する機能と、前記記憶した前記端末識別情報と前記コンテンツとを、これらに対応する前記指定情報によって指定される前記バックアップサーバに送信する機能と、前記通信端末から、前記端末識別情報を含み前記バックアップサーバに記憶されている前記コンテンツを要求するためのリクエストを受信し、当該受信した前記リクエストに含まれている前記端末識別情報を前記バックアップサーバに転送する機能と、前記バックアップサーバから送信されてくる前記コンテンツを受信し、当該受信した前記コンテンツを前記通信端末に転送する機能とを実現させるプログラムおよびそのプログラムを記録したコンピュータ読み取り可能な記録媒体を提供する。
【００２８】
さらに、本発明は、コンピュータに、著作権によって保護されたコンテンツを記憶する機能と、前記コンテンツと、当該コンテンツに割り当てられた識別情報と、自サーバを指定する指定情報とを通信端末に送信する機能と、前記通信端末から送信されてくる前記コンテンツ識別情報と前記端末識別情報とを受信する機能と、前記受信した前記コンテンツ識別情報と前記端末識別情報とを対応付けて記憶する機能と、前記通信端末から、前記コンテンツサーバに記憶されている前記コンテンツを要求するためのリクエストを受信する機能と、前記受信した前記リクエストから前記コンテンツ識別情報及び前記端末識別情報を抽出する機能と、前記抽出した前記コンテンツ識別情報及び前記端末識別情報が前記記憶している前記コンテンツ識別情報及び前記端末識別情報と一致する場合に、当該コンテンツ識別情報に対応する前記コンテンツを前記通信端末に送信する機能とを実現させるプログラムおよびそのプログラムを記録したコンピュータ読み取り可能な記録媒体を提供する。
【００２９】
【発明の実施の形態】
＜１．第１実施形態＞
＜１−１．第１実施形態の構成＞
図１は、本実施形態のコンテンツ管理システム１００の全体構成を示す図である。
移動局１は、例えば、ＩＭＴ−２０００（International Mobile Telecommunications-2000）におけるＤＳ−ＣＤＭＡ（Direct Spread-Code Division Multiple Access）方式に基づいて、基地局２１との間で、無線パケット通信を行う。基地局２１は、図示せぬ交換局と接続されている。複数の交換局は相互に接続されて無線通信ネットワーク２を構成する。そして、無線通信ネットワーク２には、コンテンツ配信サーバ３と、バックアップサーバ４とが接続されている。したがって、移動局１は、無線通信ネットワーク２を介して、コンテンツ配信サーバ３およびバックアップサーバ４との間で、データ通信を行うことが可能である。なお、図示は省略するが、コンテンツ管理システム１００には、複数のバックアップサーバ４が備わっている。
【００３０】
コンテンツ配信サーバ３は、移動局１に対して配信可能な複数の著作権コンテンツを記憶している。著作権コンテンツとは、著作物財産権、著作者人格権および著作物送信権等の著作物に関わる権利全般によって保護された情報を示すデータである。具体的には、著作権コンテンツとして、画像、音楽乃至ゲームプログラムといったデータを挙げることができる。
【００３１】
図２は、コンテンツ配信サーバ３の電気的構成を示すブロック図である。図２に示すように、コンテンツ配信サーバ３は、ＣＰＵ３０と、ＲＯＭ３１と、ＲＡＭ３２と、通信インターフェイス（以下、Ｉ／Ｆと略記する）３３と、ハードディスク３４と、システムバス３５と、を備えている。
【００３２】
ＣＰＵ３０は、コンテンツ配信サーバ３に備わる各部を中枢的に制御する。ＲＯＭ３１には、ＣＰＵ３０の動作手順を記述した各種制御用プログラムが記述されている。ＲＡＭ３２は、ＣＰＵ３０の一時的な作業領域として用いられる。通信Ｉ／Ｆ３３は、無線通信ネットワーク２を介したデータ通信の際に用いられるポートである。システムバス３５は、コンテンツ配信サーバ３に備わる各部同士が、データを伝送する際に用いられる。
【００３３】
そして、ハードディスク３４には、移動局１に配信すべき複数の著作権コンテンツと、コンテンツ配信の際に必要とされる各種データとが記憶されている。
図３は、著作権コンテンツのデータ構成を概念的に示す図である。
図３に示すように、著作権コンテンツは、著作権保護対象情報とバックアップ先アドレスとから構成される。
著作権保護対象情報とは、例えば、画像や音楽等、不正な複製から保護すべき情報そのものを示す。一方、バックアップ先アドレスとは、著作権コンテンツをバックアップする際のバックアップ先として指定されるサーバのネットワークアドレスを示す情報である。著作権コンテンツに、制御情報としてバックアップ先アドレスが記憶される理由は、以下の通りである。
【００３４】
まず、上述のように、著作権コンテンツは著作物に関する権利全般によって保護されるデータであるため、無制限な複製が禁じられるべきものである。しかし、全く複製が不可能であれば、例えば、移動局を買い換えデータの移行を行わなければならない場合や、不慮の事故等によるデータの消失といった事態の備えてデータバックアップをとる場合等に、利用者は移動局１に所望の処理を実行させることができなくなってしまう。つまり、著作権コンテンツの不正な複製を防止するあまり、利用者の正当なデータ操作に支障をきたすことになってしまう。そのため、本実施形態のコンテンツ管理システム１００では、著作権コンテンツに対して、予め指定されたサーバにバックアップをとることを許容することで、データ保護と利用者の利便性とを同時に実現しているのである。
【００３５】
さて、コンテンツ配信サーバ３は、移動局１に配信可能な著作権コンテンツの一覧を、例えば、ＨＴＭＬ（Hypertext Markup Language）形式のファイルとして、ハードディスク３４に記憶している。本実施形態では、以下、著作権コンテンツの一覧を示すファイルを、コンテンツ一覧ファイルと称する。コンテンツ一覧ファイルには、移動局１に対して配信可能な著作権コンテンツ各々のＵＲＬが、アンカータグとして埋め込まれている。移動局１がコンテンツ一覧ファイルを表示し、利用者によってコンテンツを選択する操作がなされると、この操作を受け付けて、選択されたコンテンツにアンカータグによって関連付けられたＵＲＬを含むリクエストをコンテンツ配信サーバ３に送信する。これに応じて、コンテンツ配信サーバ３から移動局１に著作権コンテンツが送信され、この結果、移動局１は、著作権コンテンツを取得することが可能となる。
【００３６】
図４は、コンテンツ配信サーバ３がコンテンツを配信する際のＣＰＵ３０の動作を示すフローチャートである。
まず、移動局１からコンテンツ一覧ファイルの要求を受信すると（ステップＳ１００；Ｙｅｓ）、ＣＰＵ３０は、ハードディスク３４からコンテンツ一覧ファイルを読出し、これを移動局１に送信する（ステップＳ１０１）。上述のように、コンテンツ一覧ファイルには、移動局１に対して配信可能な著作権コンテンツのＵＲＬを示すアンカータグが埋め込まれている。コンテンツ一覧ファイルに基づいて、移動局１から、ある著作権コンテンツの配信要求を受信すると（ステップＳ１０２；Ｙｅｓ）、ＣＰＵ２０は、配信を要求している移動局１の電話番号を識別すると共に、要求された著作権コンテンツをハードディスク３４から読み出す。そして、ＣＰＵ３０は、読み出した著作権コンテンツを、移動局１に対して送信する（ステップＳ１０３）。
以上が、コンテンツ配信サーバ３から移動局１への、著作権コンテンツの配信動作である。
【００３７】
著作権コンテンツを受信した移動局１は、利用者の操作に応じて、著作権コンテンツのバックアップをバックアップサーバ４に依頼することが可能である。
ここで、バックアップとは、移動局１にダウンロードされたコンテンツを、移動局１とは異なる装置に記憶することを意味する。
図５は、移動局１の電気的構成を示すブロック図である。図５に示すように、移動局１は、アンテナ１０と、無線部１１と、ベースバンド処理部１２と、音声入出力部１３と、制御部１４と、表示部１５と、操作部１６と、電源部１７とを備えている。
【００３８】
アンテナ１０は、送受信アンテナである。無線部１１は、受信部、送信部および周波数シンセサイザ等を備えており、アンテナ１０を介して、基地局２１との間で無線通信を行う。無線部１１は、ベースバンド処理部１２と接続されている。ベースバンド処理部１２は、マルチメディアインターフェイス、音声コーデックおよび画像コーデック等を備えており、各種のデータ処理を行う。
【００３９】
音声入出力部１３は、マイクロホンおよびスピーカを備えている。音声入出力部１３は、マイクロホンが集音した音声信号をベースバンド処理部１２に供給する。また、音声入出力部１３は、ベースバンド処理部１２から音声信号を供給されると、この音声信号を変換し、スピーカから放音する。
【００４０】
また、表示部１５は、液晶パネルおよびパネル駆動回路を有しており、制御部１４による制御の下で、各種情報を表示する。操作部１６は、テンキーおよび各種制御キーからなるキーパッドやキー検出回路を有しており、利用者のキー操作に対応する制御信号を制御部１４に出力する。電源部１７は、移動局１に備わる各部が動作するために必要な電力を供給する。
【００４１】
制御部１４は、移動局１に備わる各部の動作を中枢的に制御する。図６に示すように、制御部１４は、ＣＰＵ（Central Processing Unit）１４０と、ＲＡＭ（Random Access Memory）１４１と、ＲＯＭ（Read Only Memory）１４２と、ＦｌａｓｈＲＯＭ１４３とを備え、各装置がバス１４４によって接続されている。ＣＰＵ１４０は、ＲＡＭ１４１を一時的な作業領域とし、ＲＯＭ１４２およびＦｌａｓｈＲＯＭ１４３に記憶される各種プログラムを実行する。
【００４２】
ＲＯＭ１４２には、移動局１の電話番号が記憶される他、例えば、著作権コンテンツのダウンロード時およびバックアップ時に必要となるコンテンツ管理プログラムが記憶されている。また、ブラウザプログラムも、著作権コンテンツのダウンロード時及びバックアップ時のユーザインターフェイスとして用いられるため、ＲＯＭ１４２に記憶されている。また、ＦｌａｓｈＲＯＭ１４３には、コンテンツ配信サーバ３から受信した著作権コンテンツと、受信した著作権コンテンツのバックアップ先アドレスを管理するためのバックアップ先管理テーブルとが記憶されている。
【００４３】
図７は、バックアップ先管理テーブルとして記憶されるデータを概念的に示す図である。
図７に示すように、バックアップ先管理テーブルは複数のレコードを備えており、各レコードにおいて、コンテンツＩＤフィールド８１０と、バックアップ先アドレスフィールド８１１とが、対応付けられて記憶されている。
コンテンツＩＤフィールド８１０には、コンテンツ配信サーバ３からダウンロードされた複数の著作権コンテンツに対応するコンテンツ識別情報が記憶される。一方、バックアップ先アドレスフィールド８１１には、各著作権コンテンツに含まれるバックアップ先アドレスが記憶される。
【００４４】
図８は、コンテンツ管理プログラムにおいて、コンテンツをダウンロードするためのサブルーチンを実行した際の、ＣＰＵ１４０の動作を示すフローチャートである。
まず、利用者が、操作部１６を操作し、コンテンツ一覧ファイルの表示を指示する操作を行った場合（ステップＳ２００；Ｙｅｓ）、ＣＰＵ１４０は、コンテンツ一覧ファイル要求を、コンテンツ配信サーバ３に対して送信する（ステップＳ２０１）。そして、コンテンツ配信サーバ３からコンテンツ一覧ファイルを受信すると（ステップＳ２０２；Ｙｅｓ）、ＣＰＵ１４０は、表示部１５に、コンテンツ配信サーバ３から受信可能な著作権コンテンツの一覧を表示する（ステップＳ２０３）。
【００４５】
そして、利用者が、操作部１６を操作し、コンテンツ一覧ファイル中の所望の著作権コンテンツの選択操作を行うと（ステップＳ２０４；Ｙｅｓ）、ＣＰＵ１４０は、その著作権コンテンツの送信要求を、コンテンツ配信サーバ３に対して送信する（ステップＳ２０５）。そして、ＣＰＵ１４０は、著作権コンテンツを受信すると（ステップＳ２０６）。この著作権コンテンツを記憶すると共に（ステップＳ２０７）、バックアップ先管理テーブルに新規レコードを追加する。そして、ＣＰＵ１４０は、受信した著作権コンテンツのコンテンツ識別情報と、その著作権コンテンツのバックアップ先アドレスとを、新しく作成したレコードに記憶する（ステップＳ２０８）。
【００４６】
上記のようにしてコンテンツ配信サーバ３からダウンロードされた著作権コンテンツは、バックアップ管理プログラムに記述された手順にしたがって、バックアップサーバ４にバックアップすることができる。
図９は、コンテンツ管理プログラムにおいて、コンテンツをバックアップするためのサブルーチンを実行した際の、ＣＰＵ１４０の動作を示すフローチャートである。
まず、利用者が、操作部１６を操作し、著作権コンテンツのバックアップを指示する操作を行った場合（ステップＳ３００；Ｙｅｓ）、ＣＰＵ１４０は、まず、バックアップ先管理テーブルを参照し、バックアップ先アドレスを識別する。そして、このアドレスを割り当てられたバックアップサーバ４に対して、ＣＰＵ１４０は、コンテンツのバックアップを要求する（ステップＳ３０１）。この要求には、移動局の電話番号と、コンテンツ識別情報との、２つの情報が含まれている。この要求に対する応答を受信すると（ステップＳ３０２）、ＣＰＵ１４０は、バックアップすべき著作権コンテンツを、バックアップファイルとして、バックアップサーバ４に送信する（ステップＳ３０３）。
【００４７】
一方、利用者が、操作部１６を操作し、バックアップサーバ４から、著作権コンテンツのバックアップファイルのダウンロードを指示する操作を行った場合（ステップＳ３０５；Ｙｅｓ）、ＣＰＵ１４０は、利用者によって指定された著作権コンテンツのバックアップファイルの送信を、バックアップサーバ４に対して要求する（ステップＳ３０７）。この要求には、バックアップファイルに対応するコンテンツ識別情報と、移動局１の電話番号とが含まれている。ＣＰＵ１４０は、バックアップサーバ４からバックアップファイルを受信すると（ステップＳ３０８）、このバックアップファイルを記憶し（ステップＳ３０９）、処理を終了する。
【００４８】
また、本実施形態の移動局１は、ステップＳ３０１の処理により、バックアップ先管理テーブルの内容に基づいてバックアップ先を決定しており、著作権コンテンツを、バックアップサーバ４以外のサーバに送信することは一切認めない。そのため、著作権コンテンツを予め定められた装置以外に対して、不正に複製できないようになっている。
【００４９】
ところで、移動局１がバックアップサーバ４にバックアップファイルを要求した場合、バックアップサーバ４側では、移動局１から提供される情報に基づいて、バックアップファイルの送信可否を判別している。より具体的に述べると、バックアップサーバ４は、移動局１から電話番号およびコンテンツ識別情報を受信すると、これに基づき、移動局１に送信すべきバックアップファイルを識別する。そして、バックアップサーバ４は、移動局１から受信した電話番号およびコンテンツ識別情報に対応するバックアップファイルが存在する場合のみ、バックアプファイルを移動局１に送信する。著作権コンテンツは、無制限に複製されることが防止されなければならないが、このような処理を行うことにより、正当な利用者のみが、著作権コンテンツのバックアップファイルを入手することができるようになる。
【００５０】
図１０は、バックアップサーバ４の電気的構成を示すブロック図である。
図１０に示すように、バックアップサーバ４は、ＣＰＵ４０と、ＲＯＭ４１と、ＲＡＭ４２と、通信Ｉ／Ｆ４３と、ハードディスク４４と、システムバス４５とを備えている。
【００５１】
ＣＰＵ４０は、バックアップサーバ４に備わる各部を中枢的に制御する。ＲＯＭ４１には、ＣＰＵ４０の動作手順を記述した各種制御用プログラムが記述されている。ＲＡＭ４２は、ＣＰＵ４０の一時的な作業領域として用いられる。通信Ｉ／Ｆ４３は、無線通信ネットワーク２を介したデータ通信の際に用いられるポートである。システムバス４５は、バックアップサーバ４に備わる各部同士が、データを伝送する際に用いられる。
【００５２】
そして、ハードディスク４４には、移動局１から受信した複数のバックアップファイルと、バックアップ処理の手順を記述したバックアップ管理プログラムと、バックアップ管理プログラムが参照するデータであるファイル管理テーブルとが記憶されている。
【００５３】
図１１は、ファイル管理テーブルとして記憶されるデータを概念的に示す図である。
図１１に示すように、ファイル管理テーブルには複数のレコードが備わっている。そして、各レコードにおいて、コンテンツ識別情報フィールド８２０と、移動局識別情報フィールド８２１と、バックアップファイル識別情報フィールド８２２とが、対応付けられて記憶されている。
コンテンツ識別情報フィールド８２０には、移動局１から受信した著作権コンテンツのコンテンツ識別情報が記憶される。移動局識別情報フィールド８２１には、著作権コンテンツのバックアップを要求した移動局１の電話番号が記憶される。バックアップファイル識別情報フィールド８２２には、移動局１から受信した著作権コンテンツのバックアップとして記憶されるファイルを一意に識別可能な、バックアップファイル識別情報が記憶される。
【００５４】
そして、バックアップ管理プログラムには、著作権コンテンツのバックアップ処理および復元のための再送処理を行う際の手順が記述されている。
図１２は、バックアップ管理プログラムを実行した際のＣＰＵ４０の動作を示すフローチャートである。
まず、ＣＰＵ４０は、移動局１からバックアップ要求を受信すると（ステップＳ４００；Ｙｅｓ）、この要求を送信してきた移動局１に対して、バックアップファイルを送信するように要求する（ステップＳ４０１）。そして、ＣＰＵ４０は、移動局１から著作権コンテンツを受信すると、これをハードディスク４４に記憶する（ステップＳ４０２、Ｓ４０３）。そして、ＣＰＵ４０は、ファイル管理テーブルに新規レコードを追加し、このレコードに備わる各フィールドに、データを記憶する（ステップＳ４０４）。
【００５５】
一方、移動局１から、バックアップファイル送信の要求を受信した場合（ステップＳ４０５；Ｙｅｓ）、ＣＰＵ４０は、まず、移動局１の識別情報と、送信を要求されるバックアップファイルのコンテンツ識別情報とを識別する（ステップＳ４０６）。そして、ＣＰＵ４０は、識別した２つの情報を含むレコードが、ファイル管理テーブルに存在するか否かを判別する。そして、ＣＰＵ４０は、該当するレコードが存在した場合（ステップＳ４０６；Ｙｅｓ）、このレコードにおけるバックアップファイル識別情報フィールド８２２に記憶される情報を取得し、これに対応するバックアップファイルを読み出す。そして、ＣＰＵ４０は、読み出したバックアップファイルを、移動局１に対して送信する（ステップＳ４０７）。
以上が、バックアップサーバ４の構成である。
【００５６】
次に、上記構成によるコンテンツ管理システム１００の動作を具体的に説明する。
＜１−２．第１実施形態の動作＞
＜１−２−１．コンテンツダウンロード＞
図１３は、コンテンツ管理システム１００における、著作権コンテンツ配信時の動作を示すシーケンスチャートである。
【００５７】
まず、利用者の操作に基づき、移動局１において、コンテンツ管理プログラムが起動される。このとき、移動局１の表示部１５には、図１４に示す画像が表示される。この画面において、利用者が操作部１６を介してカーソル１５０を移動させ「コンテンツ一覧」を選択すると、移動局１は、図８に示す処理に基づき、コンテンツ配信サーバ３に対して、コンテンツ一覧ファイルの送信を要求する（ステップＳ５００）。コンテンツ配信サーバ３は、コンテンツ一覧ファイルの送信要求を受信すると、図４に示す処理に基づき、ハードディスク３４に記憶されるコンテンツ一覧ファイルを、移動局１に送信する（ステップＳ５０１）。
【００５８】
移動局１は、コンテンツ一覧ファイルを受信すると、これを表示部１５に表示する（ステップＳ５０２）。その結果、表示部１５には、図１５に示す画像が表示される。この画面において、利用者が操作部１６を介してカーソル１５０を移動させ、所望の著作権コンテンツを選択する。ここでは、「宇田川ヒカリ」とする。すると、移動局１は、選択された著作権コンテンツの送信要求を、コンテンツ配信サーバ３に対して送信する（ステップＳ５０３）。そして、コンテンツ配信サーバ３は、要求された著作権コンテンツを、移動局１に送信する（ステップＳ５０４）。
【００５９】
著作権コンテンツを受信すると、移動局１の表示部１５には、図１６に示す画像が表示される。この結果、利用者は、著作権コンテンツのダウンロードが完了したことを識別する。さらに、図１６においてカーソル１５０が示された位置を選択することにより、移動局１の表示部１５には、図１７に示す画像が表示される。図１７に示す画面により、移動局１の利用者は、著作権コンテンツが著作権による保護下にあること、および著作権コンテンツのバックアップに対する制限事項等を確認することができるようになっている。
さて、移動局１は、著作権コンテンツを受信すると、これをＦｌａｓｈＲＯＭ１４３に記憶する（ステップＳ５０５）。そして、受信した著作権コンテンツに含まれるバックアップ先アドレス（ここでは、xxx.xxx.xxx.xxx）と、著作権コンテンツのコンテンツ識別情報（ここでは、ct2004）とを対応付けて、バックアップ先管理テーブルに記憶する（ステップＳ５０６）。この結果、バックアップ先管理テーブルは、図７に示した状態から、図１８に示した状態へと変化する。
以上が、コンテンツ管理システム１００における著作権コンテンツのダウンロード動作である。
【００６０】
＜１−２−２．コンテンツバックアップ＞
図１９は、コンテンツ管理システム１００における、著作権コンテンツのバックアップ動作およびバックアップファイル復元動作を示すシーケンスチャートである。
まず、利用者の操作に基づき、移動局１において、コンテンツ管理プログラムが起動される。すると、移動局１の表示部１５には、図１４に示す画像が表示される。この画面において、利用者が操作部１６を介してカーソル１５０を移動させ、「バックアップ」を選択すると、表示部１５には、現在バックアップ先管理テーブルに記憶されている著作権コンテンツの一覧が表示される。このとき、表示部１５には、図２０に示す画像が表示される。
【００６１】
そして、図２０に示される画面において、利用者が操作部１６を介してカーソル１５０を移動させ、バックアップを所望する著作権コンテンツを選択する。ここでは、「宇田川ヒカリ」とする。すると、移動局１はバックアップ先管理テーブルを参照し、バックアップサーバ４に対してバックアップ要求を送信する（ステップＳ６００）。この要求に対する応答を受信すると（ステップＳ６０１）、移動局１は、バックアップする著作権コンテンツ即ち「宇田川ヒカリ」の画像コンテンツをＦｌａｓｈＲＯＭ１４３から読出し、電話番号「０９０１３５７２４６８」とともに、バックアップサーバ４に送信する（ステップＳ６０２）。
【００６２】
バックアップサーバ４は、移動局１から著作権コンテンツを受信すると、これを記憶するとともに、ファイル管理テーブルの内容を更新する（ステップＳ６０３、Ｓ６０４）。より詳述すると、バックアップサーバ４は、受信した著作権コンテンツをハードディスク４４に記憶すると共に、ファイル管理テーブルに新たなレコードを追加する。そして、新規レコードの各フィールドに情報を記憶する。この結果、ファイル管理テーブルは、図１１に示した状態から、図２１に示す状態へと変化する。
処理が完了すると、バックアップサーバ４は、バックアップ完了通知を移動局１に送信する（ステップＳ６０５）。この結果、移動局１の表示部１５には、図２２に示す画像が表示される。そして、利用者は、著作権コンテンツがバックアップされたことを識別する。
【００６３】
＜１−２−３．バックアップファイル復元＞
バックアップサーバ４に記憶された著作権コンテンツのバックアップファイルは、以下の手順により、再度移動局１にダウンロードされ、復元される。
まず、利用者の操作に基づき、移動局１において、コンテンツ管理プログラムが起動されると、表示部１５には、図１４に示す画像が表示される。この画面において、利用者が操作部１６を介してカーソル１５０を移動させ、「コンテンツ復元」を選択する。すると、移動局１からバックアップサーバ４に対して、現在バックアップされているファイルの一覧が要求される（ステップＳ６０６）。この要求には、移動局１の電話番号が含まれている。
【００６４】
上記の要求を受信したバックアップサーバ４は、ファイル管理テーブルにおいて、受信した電話番号を含むレコードをすべて抽出し（ステップＳ６０７）、抽出されたレコードに含まれるコンテンツ識別情報を、移動局１に送信する（ステップＳ６０８）。この結果、移動局１の表示部１５には、図２３に示す画像が表示される。図２３に示す画面において、利用者が所望のバックアップファイルを選択する操作を行うと、移動局１は、選択されたバックアップファイルの送信を、バックアップサーバ４に対して要求する（ステップＳ６０９）。この要求には、コンテンツ識別情報が含まれるている。バックアップサーバ４は、バックアップファイルの要求を受信すると、これに対応するバックアップファイルをハードディスク４４から読出し、移動局１に送信する（ステップＳ６１０）。移動局１がバックアップファイルを受信すると、これを著作権コンテンツとして復元することが可能となる。そして、表示部１５には、図２４に示す画像が表示される。
以上が、コンテンツ管理システム１００における著作権コンテンツのバックアップおよび復元動作である。
【００６５】
＜１−３．第１実施形態の効果＞
以上、説明したように、本実施形態のコンテンツ管理システム１００は、移動局１は予め指定されたバックアップ先についてのみ、著作権コンテンツをバックアップすることができる。一方、バックアップファイル復元のための再送処理においては、バックアップサーバ４がファイル管理テーブルを参照し、著作権コンテンツをバックアップした移動局１に対してのみバックアップファイルを送信する。そのため、本実施形態のコンテンツ管理システム１００によれば、著作権コンテンツの無制限な複製を防止しつつ、そのバックアップを行うことが可能となる。
【００６６】
＜２．第２実施形態＞
＜２−１．第２実施形態の構成＞
次に、第２実施形態のコンテンツ管理システム２００について説明する。
図２５は、コンテンツ管理システム２００の全体構成を示す図である。
図２５に示すように、コンテンツ管理システム２００は、バックアップ管理サーバ５とを備える点を除き、第１実施形態のコンテンツ管理システム１００と同様である。煩雑を避けるため、第１実施形態と同様の構成については同一の符号を付し、その説明を省略する。
【００６７】
コンテンツ管理システム２００において、移動局１は、バックアップ先アドレスを記憶していない。移動局１が記憶するのは、著作権コンテンツのコンテンツ識別情報および管理サーバ５のネットワークアドレスである。
移動局１は、コンテンツ配信サーバ３から著作権コンテンツをダウンロードする処理、バックアップサーバ４へ著作権コンテンツをバックアップする処理、およびバックアップサーバ４からバックアップファイルをダウンロードする処理のすべてを、バックアップ管理サーバ５を中継して行う。
【００６８】
図２６は、バックアップ管理サーバ５の電気的構成を示すブロック図である。
図２６に示すように、バックアップ管理サーバ５は、ＣＰＵ５０と、ＲＯＭ５１と、ＲＡＭ５２と、通信Ｉ／Ｆ５３と、ハードディスク５４と、システムバス５５とを備えている。
ＣＰＵ５０は、バックアップ管理サーバ５に備わる各部を中枢的に制御する。ＲＯＭ５１には、ＣＰＵ５０の動作手順を記述した各種制御用プログラムが記述されている。ＲＡＭ５２は、ＣＰＵ５０の一時的な作業領域として用いられる。通信Ｉ／Ｆ５３は、無線通信ネットワーク２を介したデータ通信の際に用いられるポートである。システムバス５５は、バックアップ配信サーバ５に備わる各部同士がデータを伝送する際に用いられる。
【００６９】
そして、ハードディスク５４には、転送管理テーブルと、転送プログラムとが記憶されている。
図２７は、転送管理テーブルとして記憶されるデータを概念的に示す図である。
図２７に示すように、転送管理テーブルは、複数のレコードを備えている。そして、各レコードにおいて、コンテンツ識別情報フィールド８３０と、バックアップ指定アドレスフィールド８３１とが、対応付けられて記憶されている。
コンテンツ識別情報フィールド８３０は、コンテンツ識別情報を記憶する。
バックアップ指定アドレスフィールド８３１は、著作権コンテンツのバックアップ先サーバのネットワークアドレスを記憶する。
【００７０】
図２８は、転送プログラムを実行した際のＣＰＵ５０の動作を示すフローチャートである。転送プログラムは、バックアップ管理サーバ５の常駐プログラムとして実行されている。
まず、ＣＰＵ５０は、移動局１から著作権コンテンツのバックアップ要求またはバックアップファイルのダウンロード要求を受信する（ステップＳ７００）。そして、ＣＰＵ５０は、移動局１から著作権コンテンツのバックアップ要求を受信した場合、この要求から、移動局１の電話番号および著作権コンテンツのコンテンツ識別情報を取得する（ステップＳ７０１）。またＣＰＵ５０は、移動局１からバックアップファイルのダウンロード要求を受信した場合には、この要求から、移動局１の電話番号およびバックアップファイルのファイル識別情報を取得する。そして、ＣＰＵ５０は、転送管理テーブルを参照し、受信したコンテンツ識別情報に対応したバックアップ先アドレスを取得する（ステップＳ７０２）。そして、ＣＰＵ５０は、移動局１の要求を、転送すべきサーバ宛てに送信する（ステップＳ７０３）。
以上が、コンテンツ管理システム２００の構成である。
【００７１】
＜２−２．第２実施形態の動作＞
次に、上記構成によるコンテンツ管理システム２００の動作を具体的に説明する。
コンテンツ管理システム２００における、著作権コンテンツのダウンロード動作は、第１実施形態と同様であるため、説明を省略する。
＜２−２−１．コンテンツバックアップ＞
図２９は、コンテンツ管理システム２００における、著作権コンテンツのバックアップ動作およびバックアップファイル復元動作を示すシーケンスチャートである。
まず、利用者の操作に基づき、移動局１において、コンテンツ管理プログラムが起動されると、移動局１の表示部１５には、図１４に示す画像が表示される。この画面において、利用者が操作部１６を介してカーソル１５０を移動させ、「バックアップ」を選択すると、表示部１５には、現在バックアップ先管理テーブルに記憶されている著作権コンテンツの一覧が表示される。このとき、表示部１５には、図２０に示す画像が表示される。そして、図２０に示される画面において、利用者が操作部１６を介してカーソル１５０を移動させ、バックアップを所望する著作権コンテンツを選択する。ここでは、「宇田川ヒカリ」とする。すると、移動局１はバックアップ先管理テーブルを参照し、バックアップ管理サーバ５に対してバックアップ要求を送信する（ステップＳ８００）。
【００７２】
移動局１からバックアップ要求を受信したバックアップ管理サーバ５は、転送管理テーブルを参照し、移動局１の要求を転送すべきバックアップサーバ４を識別する（ステップＳ８０１）。そして、バックアップ管理サーバ５は、移動局１の要求を、しかるべきバックアップサーバ４に転送する（ステップＳ８０２）。この要求を受信した移動局１は、バックアップ管理サーバ５に対して、バックアップファイルの送信を要求する（ステップＳ８０３）。バックアップ管理サーバ５は、バックアップサーバ４から要求を受信すると、これを移動局１に転送する（ステップＳ８０４）。
【００７３】
そして、移動局１は、バックアップする著作権コンテンツ即ち「宇田川ヒカリ」の画像コンテンツをＦｌａｓｈＲＯＭ１４３から読出し、電話番号「０９０１３５７２４６８」とともに、バックアップ管理サーバ５に送信する（ステップＳ８０５）。バックアップ管理サーバ５は、受信した著作権コンテンツおよび電話番号を、バックアップサーバ４に転送する（ステップＳ８０６）。
【００７４】
バックアップサーバ４は、移動局１から著作権コンテンツを受信すると、これを記憶するとともに、ファイル管理テーブルの内容を更新する（ステップＳ８０７、Ｓ８０８）。より詳述すると、バックアップサーバ４は、受信した著作権コンテンツをハードディスク４４に記憶すると共に、ファイル管理テーブルに新たなレコードを追加する。そして、新規レコードの各フィールドに情報を記憶する。この結果、ファイル管理テーブルは、図１１に示した状態から、図２１に示す状態へと変化する。
処理が完了すると、バックアップサーバ４は、バックアップ完了通知を、バックアップ管理サーバ５に送信する（ステップＳ８０９）。バックアップ管理サーバ５は、バックアップ完了通知を、移動局１に転送する（ステップＳ８１０）。この結果、移動局１の表示部１５には、図２２に示す画像が表示される。そして、利用者は、著作権コンテンツがバックアップされたことを識別する。
【００７５】
＜２−２−２．バックアップファイル復元＞
次に、バックアップファイルを復元する際の動作について説明する。
まず、利用者の操作に基づき、移動局１において、コンテンツ管理プログラムが起動されると、移動局１の表示部１５には、図１４に示す画像が表示される。この画面において、利用者が操作部１６を介してカーソル１５０を移動させ、「コンテンツ復元」を選択する。すると、移動局１からバックアップ管理サーバ５に対して、現在バックアップされているファイルの一覧が要求される（ステップＳ８１１）。この要求を受信したバックアップ管理サーバ５は、転送管理テーブルを参照し、移動局１の要求を転送すべきバックアップサーバ４を識別する（ステップＳ８１２）。そして、バックアップ管理サーバ５は、移動局１の要求を、しかるべきバックアップサーバ４に転送する（ステップＳ８１３）。
【００７６】
バックアップ管理サーバ５から転送された要求を受信したバックアップサーバ４は、ファイル管理テーブルにおいて、受信した電話番号を含むレコードをすべて抽出し、抽出されたレコードに含まれるコンテンツ識別情報を、バックアップ管理サーバ５に送信する（ステップＳ８１４、Ｓ８１５）。そしてバックアップ管理サーバ５は、受信したコンテンツ識別情報を、移動局１に転送する（ステップＳ８１６）。この結果、移動局１の表示部１５には、図２３に示す画像が表示される。図２３に示す画面において、利用者が所望のバックアップファイルを選択する操作を行うと、移動局１は、選択されたバックアップファイルの送信要求を、バックアップ管理サーバ５に対して送信する（ステップＳ８１７）。これを、バックアップ管理サーバ５は、バックアップサーバ４に対して転送する（ステップＳ８１８）。
【００７７】
バックアップファイルの送信要求を受信すると、バックアップサーバ４はファイル管理テーブルを参照し、要求に対応するバックアップファイルをハードディスク４４から読出す（ステップＳ８１９）。そして、バックアップサーバ４は、バックアップファイルをバックアップ管理サーバ５に送信する（ステップＳ８２０）。これを、バックアップ管理サーバ５は、移動局１に転送する（ステップＳ８２１）。移動局１がバックアップファイルを受信すると、これを著作権コンテンツとして復元することが可能となる。そして、表示部１５には、図２４に示す画像が表示される。
【００７８】
上記と同様の処理が、移動局１および複数のバックアップサーバ４間で実行される。すなわち、本実施形態のコンテンツ管理システム２００は、バックアップ管理サーバ５が移動局１と、複数のバックアップサーバ４との間の通信を中継することで、第１実施形態のコンテンツ管理システム１００と同様に動作することが可能となっている。
【００７９】
＜２−３．第２実施形態の効果＞
以上、説明したように、本実施形態のコンテンツ管理システム２００は、複数のバックアプサーバ４に対するバックアップ処理をバックアップ管理サーバ５が中継するため、移動局１のデータ構成をより簡潔なものとすることができる。また、コンテンツ管理システム２００においては、バックアップサーバ４のネットワークアドレスを移動局１が記憶せず、バックアップ管理サーバ５が集中管理するため、バックアップサーバ４のアドレス変更といったネットワーク構成の変化にも、柔軟に対応することが可能である。
【００８０】
＜３．変形例＞
なお、本発明は、上述の実施形態に限定されるものではなく、本発明の技術的思想の範囲内で種々の変更を加えることが可能である。
（変形例１）上述の実施形態においては、コンテンツ配信サーバ３は、移動局１に対する著作権コンテンツの配信のみを行う態様で説明を行った。しかし、著作権コンテンツのダウンロード元サーバとバックアップ先サーバとを同一のサーバとする態様を採っても構わない。この場合には、コンテンツ配信サーバ３に、図２７と同様の管理テーブルを記憶し、これによりバックアップを管理することも可能である。より具体的に述べると、図２７と同様の管理テーブルを記憶することにより、コンテンツ配信サーバ３は、バックアップファイルの実体を記憶せず、そのコンテンツ識別情報のみにより、バックアップを管理することが可能となる。この場合には、著作権コンテンツが編集、加工乃至カスタマイズされていないことが条件となるが、移動局１およびコンテンツ配信サーバ３間で授受されるデータ量を小さく抑えることが可能である。
【００８１】
（変形例２）上述の実施形態においては、コンテンツ配信サーバ３から著作権コンテンツを受信する機器として、移動局１を例に採り説明を行った。しかし、著作権コンテンツの受信、利用およびバックアップを行う機器は、移動局１に限られるものではない。例えば、パーソナルコンピュータ等の通信端末において著作権コンテンツを利用し、この著作権コンテンツのバックアップを、バックアップサーバに保管する態様であっても構わない。また、著作権コンテンツのダウンロード時と、バックアップファイルのダウンロード時で、機器が異なっていても構わない。この場合には移動局１の買い替え時などが相当する。しかし、移動局１を識別する情報すなわち電話番号は同一である必要がある。
【００８２】
（変形例３）上述の実施形態においては、著作権コンテンツの配信およびバックアップ保管等を、無線通信ネットワーク２に接続されたバックアップサーバ４が行う態様で説明を行った。しかし、バックアップサーバ４は、無線通信ネットワーク２ではなくインターネット（the Internet）等のネットワークに接続されていても良い。要は、本発明は、複製制限を必要とするコンテンツのバックアップを、所定の認証の下に行うことのできる態様であれば、バックアップサーバの設置位置は問わない。
【００８３】
（変形例４）上述の実施形態においては、移動局を一意に識別する情報として電話番号を用いる態様を例にとって説明を行った。しかし、移動局１に、例えば、ＵＩＭ（User Identification Module）等の機器を装着可能である場合には、このＵＩＭを一意に識別可能な番号を利用する態様を採っても構わない。同様に、移動局１に、例えばメモリＩＣカード等、外付けのメモリ領域を増設可能であれば、ＩＣカードに割り当てられたＩＣＣＩＤ等の、メモリ領域を一意に識別可能な番号を利用する態様を採っても構わない。
【００８４】
（変形例５）上述の実施形態においては、移動局１の表示部１５に表示された画像を視認しつつ利用者が選択操作を行うことにより、著作権コンテンツのダウンロードおよびバックアップが行われる態様を例にとり、説明を行った。しかし、著作権コンテンツのダウンロードおよびバックアップの宛先ＵＲＬは、操作部１６を介して利用者が直接入力する態様であっても構わない。この場合であっても、実施形態において説明したと同様の処理が実行される。
【００８５】
（変形例６）上述したバックアップ管理プログラムは、バックアップサーバ４のＣＰＵ４０によって読み取り可能な磁気記録媒体、光記録媒体あるいはＲＯＭ等の記録媒体に記録して提供することが可能である。また、バックアップ管理プログラムを、インターネットのようなネットワーク経由でバックアップサーバ４にダウンロードさせることももちろん可能である。これと同様のことが、移動局１におけるコンテンツ管理プログラム、およびバックアップ管理サーバ５における転送プログラムについてもいえる。
【発明の効果】
以上、説明したように、本発明によれば、不正な複製が禁じられるべきコンテンツについて、正当な利用者が、可能な範囲内で複製可能となるという効果を奏する。
【図面の簡単な説明】
【図１】  コンテンツ管理システム１００の全体構成を示す図である。
【図２】  コンテンツ配信サーバ３の電気的構成を示すブロック図である。
【図３】  著作権コンテンツのデータ構成を概念的に示す図である。
【図４】  コンテンツを配信する際のＣＰＵ３０の動作を示すフローチャートである。
【図５】  移動局１の電気的構成を示すブロック図である。
【図６】  制御部１４の電気的構成を示すブロック図である。
【図７】  バックアップ先管理テーブルとして記憶されるデータを概念的に示す図である。
【図８】  コンテンツ管理プログラムにおいて、コンテンツをダウンロードするためのサブルーチンを実行した際の、ＣＰＵ１４０の動作を示すフローチャートである。
【図９】  コンテンツ管理プログラムにおいて、コンテンツをバックアップするためのサブルーチンを実行した際の、ＣＰＵ１４０の動作を示すフローチャートである。
【図１０】  バックアップサーバ４の電気的構成を示すブロック図である。
【図１１】  ファイル管理テーブルとして記憶されるデータを概念的に示す図である。
【図１２】  バックアップ管理プログラムを実行した際のＣＰＵ４０の動作を示すフローチャートである。
【図１３】  コンテンツ管理システム１００における、著作権コンテンツ配信時の動作を示すシーケンスチャートである。
【図１４】  移動局１の表示部１５に示される画像の一例である。
【図１５】  移動局１の表示部１５に示される画像の一例である。
【図１６】  移動局１の表示部１５に示される画像の一例である。
【図１７】  移動局１の表示部１５に示される画像の一例である。
【図１８】  バックアップ先管理テーブルの状態を示す図である。
【図１９】  コンテンツ管理システム１００における、著作権コンテンツのバックアップ動作およびバックアップファイル復元動作を示すシーケンスチャートである。
【図２０】  移動局１の表示部１５に示される画像の一例である。
【図２１】  ファイル管理テーブルの状態を示す図である。
【図２２】  移動局１の表示部１５に示される画像の一例である。
【図２３】  移動局１の表示部１５に示される画像の一例である。
【図２４】  移動局１の表示部１５に示される画像の一例である。
【図２５】  コンテンツ管理システム２００の全体構成を示す図である。
【図２６】  バックアップ管理サーバ５の電気的構成を示すブロック図である。
【図２７】  転送管理テーブルとして記憶されるデータを概念的に示す図である。
【図２８】  転送プログラムを実行した際のＣＰＵ５０の動作を示すフローチャートである。
【図２９】  コンテンツ管理システム２００における、著作権コンテンツのバックアップ動作およびバックアップファイル復元動作を示すシーケンスチャートである。
【符号の説明】
１００…コンテンツ管理システム、１…移動局、１１…無線部、１４０…ＣＰＵ、１４３…ＦｌａｓｈＲＯＭ、１６…操作部、２…無線通信ネットワーク、３…コンテンツ配信サーバ、３０…ＣＰＵ、３３…通信Ｉ／Ｆ、３４…ハードディスク、４…バックアップサーバ、４０…ＣＰＵ、４３…通信Ｉ／Ｆ、４４…ハードディスク、５…バックアップ管理サーバ、５０…ＣＰＵ、５３…通信Ｉ／Ｆ、５４…ハードディスク。
【図１】
0003699696.tif 000002
【図２】
0003699696.tif 000003
【図３】
0003699696.tif 000004
【図４】
0003699696.tif 000005
【図５】
0003699696.tif 000006
【図６】
0003699696.tif 000007
【図７】
0003699696.tif 000008
【図８】
0003699696.tif 000009
【図９】
0003699696.tif 000010
【図１０】
0003699696.tif 000011
【図１１】
0003699696.tif 000012
【図１２】
0003699696.tif 000013
【図１３】
0003699696.tif 000014
【図１４】
0003699696.tif 000015
【図１５】
0003699696.tif 000016
【図１６】
0003699696.tif 000017
【図１７】
0003699696.tif 000018
【図１８】
0003699696.tif 000019
【図１９】
0003699696.tif 000020
【図２０】
0003699696.tif 000021
【図２１】
0003699696.tif 000022
【図２２】
0003699696.tif 000023
【図２３】
0003699696.tif 000024
【図２４】
0003699696.tif 000025
【図２５】
0003699696.tif 000026
【図２６】
0003699696.tif 000027
【図２７】
0003699696.tif 000028
【図２８】
0003699696.tif 000029
【図２９】
0003699696.tif 000030